(57)【特許請求の範囲】
【請求項１】
建設機械のキャブであって、
前側開口部が形成されたキャブ本体と、
前記前側開口部を閉じる閉じ位置と当該前側開口部を開く開き位置との間で移動可能な前窓であって、当該閉じ位置にある当該前窓の上側端部に位置する上側被保持体を含む複数の窓側被保持体を有する前窓と、
前記キャブ本体内に配設され、前記前窓が前記閉じ位置と前記開き位置との間で移動するように前記窓側被保持体を案内しながら保持するガイドレールと、
前記前窓を前記開き位置に向かう開き方向に付勢するアシストケーブルと、
前記アシストケーブルに接続され、かつ、前記ガイドレールに保持されながら当該ガイドレールに沿って移動可能な第１リンクと、
前記前窓及び前記第１リンクに対してそれぞれ前記リンク側移動体の移動方向と直交する左右方向の軸回りに回動可能となるように連結される第２リンクと、を備え、
当該第２リンクは、当該第２リンクの前記前窓及び前記第１リンクに対する前記回動により、前記上側被保持体を、前記第１リンクとともに前記ガイドレールに沿って移動可能となるように当該ガイドレールに保持される被保持位置と、前記前窓を前記閉じ位置に位置させるように前記ガイドレールから離脱する離脱位置との間で移動させる、建設機械のキャブ。
【請求項２】
請求項１記載の建設機械のキャブであって、前記第１リンクは、リンク本体と、前記ガイドレールの案内経路に沿って並ぶ複数の位置で前記リンク本体に連結され、それぞれが前記ガイドレールに保持される複数のリンク側被保持体と、を含む、建設機械のキャブ。
【請求項３】
請求項２記載の建設機械のキャブであって、前記リンク本体は、前記複数のリンク側被保持体同士の間の位置で当該リンク本体と前記被保持位置にある前記上側被保持体との干渉を阻止するように湾曲する湾曲部を含む、建設機械のキャブ。
【請求項４】
請求項１〜３のいずれかに記載の建設機械のキャブであって、前記第１リンクは、前記前窓が前記閉じ位置にあるときに前記ガイドレールの上面よりも上方に突出する突出部分を含み、前記アシストケーブルは、前記突出部分に接続されるとともに前記ガイドレールの上面に沿って配索される、建設機械のキャブ。
【請求項５】
請求項４記載の建設機械のキャブであって、前記ガイドレールは、前記アシストケーブルの前記左右方向への移動を規制する規制部を含む、建設機械のキャブ。
【請求項６】
請求項５記載の建設機械のキャブであって、前記規制部は、前記ガイドレールの上面のうちの特定部分が他の部分よりも上向きに突出する部分である、建設機械のキャブ。
【請求項７】
請求項１〜６のいずれかに記載の建設機械のキャブであって、第１リンクに対してアシストケーブルを左右方向の軸回りに回動可能となるように連結する連結機構をさらに備える、建設機械のキャブ。
【請求項８】
請求項７記載の建設機械のキャブであって、前記連結機構は、前記アシストケーブルの先端部に接続され、前記左右方向に延びる被保持軸と、前記第１リンクにつながり、前記被保持軸をその自軸回りに回転可能に保持する保持部と、を含み、当該保持部は、前記被保持軸の回転に伴う前記第１リンクに対する前記アシストケーブルの回動を許容する挿通孔を有する、建設機械のキャブ。
【発明の詳細な説明】
【技術分野】
【０００１】
本発明は、建設機械のキャブであって前窓を有するものに関する。
【背景技術】
【０００２】
従来、建設機械のキャブであって、キャブフレームと、前側開口部を囲む前窓フレームと、前記前側開口部を開閉する前窓と、当該前窓フレームの左右両側に設けられたガイドローラと、前記キャブフレームの左右両側に設けられたガイドレールと、を備え、当該ガイドレールに沿う前記ガイドローラのスライド移動によって前記前窓が開閉方向に移動するものが知られている。【０００３】
例えば、特許文献１は、前窓と、その上部に回動可能に連結される上端部とその反対側の下端部とを有するリンクと、当該リンクの下端部に接続されるアシストケーブルと、を備える開閉装置を開示する。前記リンクの下端部には、前記アシストケーブルを介して引張力が与えられる。当該引張力は、前記前窓の開き位置への移動をアシストする一方、前記前窓が閉じ位置にあるときはリンクの下端部を支点として当該リンクを前倒れ方向に回動させることにより当該前窓の上端部を前方に押し付ける力として、作用する。【０００４】
しかし、当該特許文献１の装置によれば、作業者は、前記閉じ位置にある前記前窓を開く際に前記アシストケーブルの引っ張り力に抗して前記前窓の取っ手を手前に引く作業を行わなければならない。また、アシストケーブルと前窓との間にはリンクが介在していて当該前窓のローラの位置と当該アシストケーブルの支点の位置とがずれているため、前窓のローラがガイドレールに沿って移動する際にアシストケーブルの引っ張り力が分散して前窓をスムーズに開き位置へ移動させることができないおそれがある。
【先行技術文献】
【特許文献】
【０００５】
【特許文献１】特許４０６２３３１号公報
【発明の概要】
【０００６】
本発明の目的は、前窓を備え、かつ当該前窓が閉じ位置と開き位置との間でスムーズに移動することが可能な建設機械のキャブを提供することにある。
【０００７】
提供されるのは、建設機械のキャブであって、前側開口部が形成されたキャブ本体と、前記前側開口部を閉じる閉じ位置と当該前側開口部を開く開き位置との間で移動可能な前窓であって、前記閉じ位置にある当該前窓の上側端部に位置する上側被保持体を含む複数の窓側被保持体を有する前窓と、前記キャブ本体内に配設され、前記前窓が前記閉じ位置と前記開き位置との間で移動するように前記窓側被保持体を案内しながら保持するガイドレールと、前記前窓を前記開き位置に向かう開き方向に付勢するアシストケーブルと、前記アシストケーブルに接続され、かつ、前記ガイドレールに保持されながら当該ガイドレールに沿って移動可能な第１リンクと、前記前窓及び前記第１リンクに対してそれぞれ前記リンク側移動体の移動方向と直交する左右方向の軸回りに回動可能となるように連結される第２リンクと、を備え、当該第２リンクは、当該第２リンクの前記前窓及び前記第１リンクに対する前記回動により、前記上側被保持体を、前記第１リンクとともに前記ガイドレールに沿って移動可能となるように当該ガイドレールに保持される被保持位置と、前記前窓を前記閉じ位置に位置させるように前記ガイドレールから離脱する離脱位置との間で移動させる。
【図面の簡単な説明】
【０００８】
【図１】本発明の実施形態に係る建設機械の側面図である。
【図２】前記建設機械のキャブにおける前窓の閉じ位置及び開き位置を示す側面図である。
【図３】前記前窓の斜視図である。
【図４】前記キャブにおけるリンク機構の斜視図である。
【図５】前記キャブの内部の左側のガイドレールを示す斜視図である。
【図６】前記前窓の上側ローラが離脱位置にある状態を示す側面図である。
【図７】前記上側ローラが被保持位置にある状態を示す側面図である。
【図８】前記前窓が前記ガイドレールに沿って移動する様子を示す側面図である。
【図９】前記キャブのアシストケーブルを保持する保持部を示す斜視図である。
【図１０】前記リンク機構を構成する第１リンクプレートに取付けられたリンク側ローラが前記ガイドレールの傾斜面に沿って上昇する様子を示す断面側面図である。
【図１１】前記リンク側ローラが前記ガイドレールの水平面に沿って移動する様子を示す断面側面図である。
【図１２】前記キャブ内の右側のガイドレールを示す側面図である。
【発明を実施するための形態】
【０００９】
以下、本発明の実施形態を図面に基づいて説明する。なお、以下の好ましい実施形態の説明は、本質的に例示に過ぎず、本発明、その適用物或いはその用途を制限することを意図するものではない。各図には、上下や前後左右の方向を矢印で示してある。特に言及しない限り、上下等の方向についてはこれら矢印で示す方向に従って説明する。
【００１０】
図１は、前記実施形態に係る建設機械１０を示す。当該建設機械１０は、いわゆる油圧ショベルであり、クローラ式の下部走行体１１と、下部走行体１１上に旋回自在に搭載されたアッパーフレーム１５を有する上部旋回体１２と、掘削作業等を行うための作業アタッチメント１３と、を備えている。当該作業アタッチメント１３は、前記アッパーフレーム１５の前側中央部に当該アッパーフレーム１５に対して上下方向に回動可能となるように取付けられるブーム１３ａと、当該ブーム１３ａの先端部に回動可能に取り付けられたアーム１３ｂと、当該アーム１３ｂの先端部に回動可能に取り付けられたバケット１３ｃと、ブーム１３ａ、アーム１３ｂ、及びバケット１３ｃをそれぞれ回動させるように伸縮する複数の油圧シリンダ１３ｄと、を含む。
【００１１】
前記上部旋回体１１は、前記アッパーフレーム１５上において前記アタッチメント１３の左側に位置するキャブ２０と、前記アッパーフレーム１５の後部に搭載される図示しないコントロールバルブやエンジン等を覆う機械室カバー１６と、機械室カバー１６の後側に位置するカウンタウエイト１７と、をさらに有する。
【００１２】
前記キャブ２０は、図１及び図２に示されるキャブ本体２１と、図２及び図３に示される前窓２２と、前窓開閉装置３０と、を備える。前記キャブ本体２１には、上部旋回体１１の前側に開口する前側開口部２１ａが形成されている。前記前窓２２は、前記前側開口部２１ａを閉じる閉じ位置と当該閉じ位置よりも後ろ側の位置であって前側開口部２１ａを開く開き位置との間で移動可能、つまり開閉方向に移動可能、である。前記前窓開閉装置３０は前記前窓２２を開閉方向に移動させる。
【００１３】
前記前窓２２は、図３にも示すように、当該前窓２２の本体（外周枠）を構成する窓フレーム２３と、透明な窓ガラス２４と、左右一対の上側ローラ２５Ａと、左右一対の下側ローラ２５Ｂと、を有し、前記窓ガラス２４の周縁部が前記窓フレーム２３の前面に取り付けられている。
【００１４】
前記前窓開閉装置３０は、前記キャブ本体２１内に配設された左右一対のガイドレール３１と、アシストケーブル３５と、第１リンクと、第２リンクと、を有する。
【００１５】
前記上側及び下側ローラ２５Ａ，２５Ｂのそれぞれは、前記左右一対のガイドレール３１に沿って移動するように当該ガイドレール３１に保持される窓側被保持体に相当する。
【００１６】
前記アシストケーブル３５は、前記前窓２２に接続されて当該前窓２２を前記開き位置に向かう方向、すなわち、開き方向、に付勢する。前記第１リンクは、前記アシストケーブル３５に接続されるリンク本体である第１リンクプレート４０と、複数のリンク側ローラ４１と、を有する。当該複数のリンク側ローラ４１は、前記リンク本体である第１リンクプレート４０とともにガイドレール３１に沿って移動可能となるように当該ガイドレール３１に保持される複数のリンク側被保持体に相当する。
【００１７】
前記第２リンクは、第２リンクプレート４５を含む。当該第２リンクプレート４５は、その長手方向の両端部であって、前記前窓２２及び前記第１リンクプレート４０にそれぞれ左右方向の軸回りに回動可能に連結される窓側端部及びリンク側端部を有する。
【００１８】
前記左右一対のガイドレール３１のそれぞれは、キャブ本体２１の内方に開口する断面形状、具体的には、左右方向の外側に位置してキャブ本体２１の内側を向く底壁３１ａと、当該底壁の両縁部からキャブ本体２１の内方に向かって延びる一対の側壁、つまり外側側壁３１ｂ及び内側側壁３１ｃ、と、を有する。当該左右一対のガイドレール３１は、前記キャブ本体２１の左右の両側壁の内側面に固定され、前記上側ローラ２５Ａを前記前側開口部２１ａから前記キャブ本体２１の天井に沿って上部旋回体１１の後方に案内するように延びている。
【００１９】
前記一対の上側ローラ２５Ａ及び前記一対の下側ローラ２５Ｂは、この実施形態では、前記窓フレーム２３の左右両側面において上側及び下側の端部にそれぞれ取付けられる。前記上側及び下側ローラ２５Ａ，２５Ｂは、それぞれ、前記窓フレーム２３から左右方向外向きに突出する支持軸である複数のローラ軸２３ａによってそれぞれ回転可能に支持される。このうち前記窓フレーム２３の上側端部に設けられる前記一対の上側ローラ２５Ａは、後述のように本発明に係る上側被保持体に相当するものである。
【００２０】
前記前窓２２は、前記ガイドレール３１に沿う前記上側及び下側ローラ２５Ａ，２５Ｂの移動に伴って前記閉じ位置と前記開き位置との間を移動する。前記前窓２２は、図２において実線で示される前記閉じ位置では前記前側開口部２１ａを閉じ、図２において二点鎖線で示される前記開き位置では前記キャブ本体２１の天井に沿うように前側開口部２１ａから後方に退避して当該前側開口部２１ａを開く。
【００２１】
前記前窓開閉装置３０は、前記前窓２２を前記閉じ位置及び前記開き位置のそれぞれにおいて係止するためのロック機構をさらに有する。当該ロック機構は、前記前窓２２に取付けられる左右一対の被係止部５０と、前記左右一対のガイドレール３１にそれぞれ取付けられる複数のストライカ５２と、を含む。前記左右一対の被係止部５０は、具体的には、前記窓フレーム２３の上縁部における左右両端部にそれぞれ設けられる。前記複数のストライカ５２は、図２に示すように、前窓２２の閉じ位置及び開き位置にそれぞれ対応して前記左右一対のガイドレール３１の前端部及び後端部にそれぞれ設けられている。当該複数のストライカ５２は例えばキャブ本体２１に取付けられてもよい。前記各被係止部５０は、前記複数のストライカ５２のうちの任意のものに係合することが可能であり、これにより、前記前窓２２が前記閉じ位置又は前記開き位置で前記キャブ本体２１にロックされることを可能にする。前記被係止部５０のそれぞれは解除レバー５１を含み、当該解除レバー５１を手前に引く操作によって当該被係止部５０と任意のストライカ５２との係合が解除され、こうして前窓２２のロックが簡単に解除される。
【００２２】
前記ガイドレール３１は、その後端部にストッパ５３を有する。当該ストッパ５３は、前記前窓２２の窓フレーム２３と当接することにより当該前窓２２を前記開き位置に位置決めする。
【００２３】
前記前窓２２は、図３に示すリンク規制板２８をさらに有する。当該リンク規制板２８は、前記窓フレーム２３の上縁部における左端部から後方に張り出す。当該リンク規制板２８は、後にも述べる前記第１及び第２リンクプレート４０，４５が車幅方向すなわち左右方向に移動するのを規制する。
【００２４】
前記前窓２２は、図３に示す左右一対の上側ハンドル２６と、図示されない下側ハンドルと、シール部材２７と、をさらに有する。当該上側ハンドル２６は、前記窓フレーム２３の上縁部において前記左右方向に互いに離れた位置に配設されて当該上縁部よりも後方に張り出す。上側ハンドル２６は、前窓２２を開閉方向に移動させるために作業者に把持されるための取っ手である。前記下側ハンドルは、前記窓フレーム２３の下縁部の前記左右方向の中央位置に設けられている。前記シール部材２７は、前記窓フレーム２３の下縁部に取付けられて、前記閉じ位置にある前窓２２のさらに下側に配設される図示しない下側前窓と密着する。
【００２５】
前記アシストケーブル３５は、前窓２２の開閉方向の移動をスムーズにするために当該前窓２２を開き方向、つまり前記閉じ位置から前記開き位置に向かう方向、に付勢するものであり、図示しないバランサスプリングに接続される後端部と、前記第１リンクプレート４０の上端部に接続される前端部と、を有する。当該アシストケーブル３５は、前記バランサスプリングのバネ力を前記第１及び第２リンクプレート４０，４５を介して前窓２２に伝え、これにより当該前窓２２を前記開き方向に付勢する。
【００２６】
前記前窓開閉装置３０は、図２，図１１に示されるケーブルホルダ５４をさらに含む。当該ケーブルホルダ５４は、筒状の部材により構成され、前記ガイドレール３１の後端部寄りの位置に設けられ、前記アシストケーブル３５の挿通を許容しながら当該アシストケーブル３５の振れを抑止する。
【００２７】
前記アシストケーブル３５と前記第１リンクプレート４０との間には、当該第１リンクプレート４０に対して当該アシストケーブル３５を左右方向の軸回りに回動可能となるように連結する連結機構が介在する。当該連結機構は、図４に示すような被保持軸３６及び保持部３７を含む。前記被保持軸３６は前記アシストケーブル３５の前端部に接続され、当該アシストケーブル３５の長手方向と直交する方向、この実施の形態では前記左右方向、に延びる。前記保持部３７は、後にも詳述するように、前記第１リンクプレート４０の上端部に設けられて前記被保持軸３６をその自軸回りに揺動可能に保持する。
【００２８】
前記複数のリンク側ローラ４１は、この実施の形態では前記ガイドレール３１の案内経路に沿って互いに間隔をおいて並ぶ２つのリンク側ローラ４１であり、図６及び図７に示される姿勢において前記保持部３７よりも下側の位置で前記第１リンクプレート４０に回転可能に取付けられている。各リンク側ローラ４１は、前記ガイドレール３１に嵌め込まれることにより、図２に示されるように当該ガイドレール３１内を移動可能となるように当該ガイドレール３１に保持される。
【００２９】
上側及び下側のリンク側ローラ４１はそれぞれローラ軸４１ａ，４１ｃによって回転可能に支持される。上側のリンク側ローラ４１を支持するローラ軸４１ａは、前記第１リンクプレート４０と一体に形成され、当該第１リンクプレート４０から左右方向の外向きに突出している。前記下側のリンク側ローラ４１を支持するローラ軸４１ｃは、前記第２リンクプレート４５の下端部から左右方向外向きに突出し、前記第１リンクプレート４０の下端部に形成された軸孔４１ｂを貫通している。すなわち、当該ローラ軸４１ｃの先端部は前記第１リンクプレート４０よりもさらに左右方向外向きに突出し、この突出する先端部に前記下側のリンク側ローラ４１が回転可能に取り付けられている。つまり、当該下側のリンク側ローラ４１は、第２リンクプレート４５に形成された前記ローラ軸４１ｃを介して前記第１リンクプレート４０に回転可能に取付けられている。
【００３０】
前記第１リンクプレート４０は湾曲部４３を有する。当該湾曲部４３は、前記２つのリンク側ローラ４１同士の間に位置し、第２リンクプレート４５が第１リンクプレート４０に対して前記ローラ軸４１ｃを中心に回動して前記上側ローラ２５Ａが図６に示される被保持位置に移動したときに当該上側ローラ２５Ａ及びそのローラ軸２３ａと当該第１リンクプレート４０とが側面視で重なり合うのを阻止するように、具体的には、当該上側ローラ２５Ａが前記２つのリンク側ローラ４１同士の間の位置で当該両リンク側ローラ４１とともに前記ガイドレール３１の両側壁３１ｂ，３１ｃ同士の間に保持されることを可能にするように、湾曲する。
【００３１】
前記下側のリンク側ローラ４１を支持するローラ軸４１ｃの周囲には、ワッシャ４６が配設され、当該ワッシャ４６は第１及び第２リンクプレート４０の間に挟み込まれている。前記ローラ軸４１ａは、前記第１リンクプレート４０の軸孔４１ｂを貫通して前記第２リンクプレート４５と前記第１リンクプレート４０との相対回動を許容しながら両者を連結するリンク軸を構成している。
【００３２】
前記複数のローラ軸２３ａのうち、前記窓フレーム２３の左側面の上端部から突出するローラ軸２３ａは、前記第２リンクプレート４５の上端部に形成された軸孔４５ａを貫通し、これにより当該ローラ軸２３ａの先端部が当該第２リンクプレート４５よりも左右方向外向きに突出して当該先端部に前記上側ローラ２５Ａが取り付けられている。このローラ軸２３ａは、前記上側ローラ２５Ａを支持する支持軸として機能するとともに、前記前窓２２と前記第２リンクプレート４５との相対回動を許容しながら両者を連結するリンク軸として機能する。このことは、リンク機構を構成する部品の点数の削減を可能にする。しかし、前記上側ローラ２５Ａの支持軸と前記リンク軸とは別のものであってもよい。
【００３３】
前記第１リンクプレート４０は、図５及び図６に示される姿勢、つまり前記前窓２２が閉じ位置にある時の姿勢、において前記ガイドレール３１の上面よりも上方に突出する突出部分４０ａを有し、当該突出部分４０ａに前記アシストケーブル３５の前端部が前記連結機構を介して接続される。このことは、当該アシストケーブル３５がガイドレール３１の上面に沿って配索されることを可能にする。
【００３４】
前記ガイドレール３１は、前記キャブ本体２１の天井に沿って略直線状に延びる部分を含む。この部分は、アシストケーブル３５がガイドレール３１との接触によって伸縮するのを最小限に抑え、アシストケーブル３５の損傷を抑止する。
【００３５】
前記ガイドレール３１は、複数の規制部３２を含む。当該複数の規制部３２は、この実施の形態ではガイドレール３１のうち前記天井に沿って延びる部分の外側側壁（つまり上側の側壁）３１ｂに形成され、前後方向に間隔をおいて並ぶ２つの位置において他の部分よりも上向きに突出する。当該複数の規制部３２は、アシストケーブル３５の車幅方向への移動を規制する部位である。当該規制部３２は、アシストケーブル３５の車幅方向の揺動に起因する当該アシストケーブル３５のガイドレール３１からの脱落を規制する。
【００３６】
前記第２リンクプレート４５は、前記下側のローラ軸４１ｃを中心に第１リンクプレート４０に対して鋏のように相対的に回動することで、比較的軽い操作力で、前記一対の上側ローラ２５Ａをそれぞれ図７に示す被保持位置と図６に示す離脱位置との間で移動させることを可能にする。前記被保持位置は、前記上側ローラ２５Ａが前記リンク側ローラ４１とともにガイドレール３１に沿って移動可能となるように当該ガイドレール３１に保持される位置であり、前記離脱位置は、前記前窓２２を図６に示される閉じ位置に位置させるように前記ガイドレール３１の案内経路から離脱する位置である。なお、図７に示される前窓２２の位置は、前記閉じ位置と前記開き位置との間の後退位置であって、当該前窓２２が前記前側開口部２１ａからそのまま後方に退避した位置である。
【００３７】
前記上側ローラ２５Ａの前記被保持位置から前記離脱位置への移動を許容するために、前記ガイドレール３１には図６及び図７に示すような分岐レール３３が一体につながっている。当該分岐レール３３は、前記ガイドレール３１の中間部分において前記上側ローラ２５Ａの案内経路から分岐して前側に延び、前記上側ローラ２５Ａを前記案内経路中の前記被保持位置から前記離脱位置まで案内する。詳しくは、前記ガイドレール３１の外側側壁３１ｂが前側開口部２１ｃの上端部近傍において部分的に欠如しており、その欠如した部位において前記ガイドレール３１に前記分岐レール３３がつながっている。
【００３８】
この実施の形態に係るキャブ２０はシール部材２９をさらに有する。当該シール部材２９は、前記キャブ本体２１のうち前記前側開口部２１ａを囲む部位つまり開口周縁部に取り付けられており、密着部２９ａを有する。当該密着部２９ａは、図７に示されるように前記前側開口部２１ａから後方に離間する位置から図６に示される閉じ位置まで前進した前窓２２の窓ガラス２４と密着する。
【００３９】
前記キャブ２０は、回動規制部材、この実施の形態では図６〜図８に示される固定ピン３４、をさらに備える。当該固定ピン３４は、前記分岐レール３３の上側に位置し、閉じ位置に向かって前窓２２が移動する際に当該前窓２２が前側開口部２１ａに対向する位置に到達する前に第２リンクプレート４５が第１リンクプレート４０に対して相対回動することを規制する。
【００４０】
一方、前記一対の下側ローラ２５Ｂは、常に前記案内経路に沿って移動するように前記ガイドレール３１に保持される。当該ガイドレール３１は図２に示すような下端部３１ｅを有する。当該下端部３１ｅは、前記前窓２２が前記開き位置から前記後退位置まで降下するのに伴って前記下側ローラ２５Ｂを図２に示すような終端位置であって前記前窓２２の下端部を前記閉じ位置に位置させるような位置へ案内する（つまり僅かに前側に移動させる）。
【００４１】
次に、前記前窓２２の開閉方向の動作について説明する。
【００４２】
図７に示される閉じ位置から前窓２２を開き位置へ移動させるために、まず、第１開き操作が行われる。この第１開き操作は、当該前窓２２の上側ローラ２５Ａが図６に示される離脱位置から図７に示される被保持位置まで分岐レール３３内を移動するように前記前窓２２を図６に示される前記閉じ位置から図７に示される位置まで後退させる操作である。
【００４３】
この実施の形態では、搭乗者は、当該開き操作として、キャブ本体２１内において前窓２２を手前に少しだけ引っ張る操作を行うだけでよい。その後は、前窓２２が自重によって図７に示される後退位置（上側ローラ２５Ａの被保持位置に対応する位置）まで後退する。このようにして作業者の負担が軽減される。また、この実施の形態では、図２に示されるように、前窓２２の左右一対の下側ローラ２５Ｂがガイドレール３１の下端部３１ｅにおいて前記前窓２２の閉じ位置に対応する位置に保持されており、よって、前記上側ローラ２５Ａの前記離脱位置から前記被保持位置への移動を伴う前記前窓２２の前記閉じ位置（図６）から後退位置（図７）への後退は、前記左右一対の下側ローラ２５Ｂを支点とする当該前窓２２の回動という安定した動作によって実現される。
【００４４】
前記前窓２２の移動の際、第１リンクプレート４０の湾曲部４３は、これに近い前記上側ローラ２５Ａおよびそのローラ軸２３ａを避ける形状を有することにより、当該第１リンクプレート４０と当該上側ローラ２５Ａ及びそのローラ軸２３ａとの干渉を防ぐ。これにより、上側ローラ２５Ａとリンク側ローラ４１がともにガイドレール３１内で一列に並ぶように当該ガイドレール３１に保持されることを可能にする。
【００４５】
前記第１開き操作の後、第２開き操作が行われる。この第２開き操作は、図８に示すように、前窓２２をガイドレール３１に沿って車両後方に持ち上げる操作である。この第２開き操作により前窓２２は開き位置まで移動する。具体的に、第１リンクプレート４０に接続されたアシストケーブル３５の引っ張り力は、前記上側ローラ２５Ａが前記被保持位置に位置してリンク側ローラ４１とともにガイドレール３１に沿って移動可能な状態において、当該第１リンクプレート４０に直接作用する。従って、当該アシストケーブル３５の引っ張り力は、分散することなく、前窓２２がスムーズに開き方向に移動することをアシストする。
【００４６】
この実施の形態に係る前記ガイドレール３１は、キャブ本体２１の形状に対応して途中で屈曲しており、このように屈曲したガイドレール３１の形状に対応して第１リンクプレート４０の姿勢が変化する。この姿勢の変化は、仮にアシストケーブル３５が第１リンクプレート４０に完全に固定されている場合に当該アシストケーブル３５の先端部に曲げ応力を生じさせる可能性がある。しかし、前記連結機構、この実施の形態では前記被保持軸３６及び保持部３７の組合せ、は当該被保持軸３６を支点とした前記第１リンクプレート４０に対する前記アシストケーブル３５の左右方向の軸回りの相対回動を許容し、これにより、当該アシストケーブル３５の先端部に加わる曲げ応力を低減することを可能にする。以下、当該被保持軸３６及び保持部３７の詳細について説明する。
【００４７】
図９〜図１１に示すように、前記被保持軸３６は、車幅方向、すなわち前記リンク側ローラ４１の移動方向と直交する前記左右方向、に延びる姿勢で前記アシストケーブル３５の先端部に接続されている。当該被保持軸３６の外周面は、前記保持部３７に対する摩擦係数が少ないこと、例えば当該外周面が樹脂製のカラー３６ａによって構成されること、が好ましい。
【００４８】
前記保持部３７は、前記第１リンクプレート４０と一体に動くように当該第１リンクプレート４０とつながり、前記被保持軸３６の中心軸回りの回動を許容するように、具体的には当該被保持軸３６が当該保持部３７に対して回転周方向に摺動することを許容するように、保持する。この実施の形態に係る前記保持部３７は、図９に示すように、前記第１リンクプレート４０の端部（図６及び図７に示される姿勢における第１リンクプレート４０の上端部）から左右方向外向きに延びる支軸３７ａと、当該支軸３７の端部に形成された保持部本体３７ｂと、を一体に有する。図１０及び図１１に示すように、前記保持部本体３７ｂの外周面のうちキャブ２０の前側を向く部分には前記被保持軸３６の外周面の一部が嵌まり込むことが可能な部分円筒状の凹部３７ｃを有し、当該凹部３７ｃに前記被保持軸３６の外周面の一部が嵌まり込んだ状態で、当該被保持軸３６の外周面と前記凹部３７ｃの表面すなわち内周面との摺動を許容しながら、つまり当該保持部３７に対する当該被保持軸３６の自軸回りの回動を許容しながら、当該被保持軸３６を保持している。
【００４９】
前記保持部本体３７ｂには、挿通孔３７ｄ及び挿入溝３７ｅが形成されている。前記挿通孔３７ｄは、前記凹部３７ｃに嵌まり込んだ前記被保持軸３６からキャブ２０の後部へ至る前記アシストケーブル３５の挿通を許容するとともに、前記被保持軸３６の摺動に伴う当該被保持軸３６を中心とした前記アシストケーブル３５の上下方向の揺動を許容するように上下方向に延びる形状を有する。前記挿入溝３７ｅは、当該挿入溝３７ｅを通じて前記挿通孔３７ｄ内に左右方向の外側から前記アシストケーブル３５を挿入してセットすることを可能にする形状を有する。
【００５０】
図１０に示すように、第１リンクプレート４０のリンク側ローラ４１が、前記ガイドレール３１のうち前記キャブ本体２１の天井の前端部の近傍に位置する傾斜部分を上っていく際には、アシストケーブル３５は、保持部３７の挿通孔３７ｄ内の下縁部寄りの位置で引っ張られる。これに対し、図１１に示すように、第１リンクプレート４０のリンク側ローラ４１が前記ガイドレール３１のうち前記天井に沿って延びる水平部分を移動する場合には、アシストケーブル３５は、保持部３７の挿通孔３７ｄの上縁部寄りの位置で引っ張られる。このように、当該アシストケーブル３５の第１リンクプレート４０に対する上下方向の回動は、ガイドレール３１の曲がった形状に対応した第１リンクプレート４０の姿勢の変化に起因してアシストケーブル３５の先端部に曲げ応力が加わることを、有効に低減する。
【００５１】
一方、前記前窓２２を前記開き位置から前記閉じ位置へ移動させるには、前記第２開き操作と反対の第１閉じ操作が行われた後、前記第１開き操作と反対の第２閉じ操作が行われる。
【００５２】
前記第１閉じ操作は、前記アシストケーブル３５の引張力に抗して前記前窓２２を図６に示す後退位置まで引き下げる操作である。この操作に伴い、下側ローラ２５Ｂはガイドレール３１の下端部３１ｅによって図６に示されるように前記前窓２２の下端部を前記閉じ位置に位置させるような位置まで案内される。
【００５３】
前記第２閉じ操作は、前記後退位置から前記前窓２２の上部をそのまま前記閉じ位置、つまり当該前窓２２の例えば窓ガラス２４がシール部材２９に密着する位置、まで前方に押し込む（この実施の形態では下側ローラ２５Ｂを支点に回動させる）操作である。この操作に伴い、当該前窓２２に取付けられた各被係止部５０がこれに対応するストライカ５２に係合されて当該前窓２２が前記閉じ位置にロックされる。
【００５４】
本発明は、以上説明した実施の形態に限定されない。本発明は、例えば次のような態様も包含する。
【００５５】
本発明に係るガイドレールの断面形状は、前記実施形態に係るガイドレール３１の断面形状、つまり、底壁３１ａと一対の側壁３１ｂ，３１ｃとを有する形状、に限定されない。例えば、前記実施形態のように前窓２２の右側にアシストケーブル３５が設けられていない場合、右側のガイドレール３１は、アシストケーブル３５の動きの規制を要しないから、当該右側ガイドレール３１の水平部分（図１２に示す区間Ｌ１の部分）は、前記一対の側壁３１ｂ，３１ｃのうちの外側側壁３１ｂ（水平部分における上側側壁）を有しなくてもよい。ただし、ガイドレール３１のうち前窓２２の閉じ位置付近に位置する部分（図１２の区間Ｌ２の部分）と、前窓２２の開き位置付近に位置する部分（図１２の区間Ｌ３の部分）は、上側及び下側ローラ２５Ａ，２５Ｂ及びリンク側ローラ４１を確実に保持して所定の案内経路に沿って移動させるように前記両側壁３１ｂ，３１ｃを有することが、好ましい。このような部分的なガイドレール３１の省略は第１リンク及び前窓２２の確実な案内を行いながらガイドレール３１の製造コストの低減及び軽量化を可能にする。
【００５６】
本発明に係る窓側被保持体及びリンク側被保持体は、前記実施形態に係る上側及び下側ローラ２５Ａ，２５Ｂ及びリンク側ローラ４１のようにガイドレール３１内で回転しながら移動するものに限定されない。当該被保持体は、ガイドレール内で回転することなく当該ガイドレールに対して摺動する部材であってもよい。
【００５７】
また、前記一対の下側ローラ２５Ｂは省略されてもよいし、あるいは、前窓２２が到達したときにガイドレール３１から離脱するものであってもよい。この場合、前窓２２は、前記実施形態のように下側ローラ２５Ｂを中心とする回動によって図６に示す閉じ位置へ至るのではなく、並進動作によって閉じ位置へ移動してもよい。
【００５８】
以上のように、前窓を備え、かつ当該前窓が閉じ位置と開き位置との間でスムーズに移動することが可能な建設機械のキャブが、提供される。当該キャブは、前側開口部が形成されたキャブ本体と、前記前側開口部を閉じる閉じ位置と当該前側開口部を開く開き位置との間で移動可能な前窓であって、当該閉じ位置にある前記前窓の上側端部に位置する上側被保持体を含む複数の窓側被保持体を有する前窓と、前記キャブ本体内に配設され、前記前窓が前記閉じ位置と前記開き位置との間で移動するように前記窓側被保持体を案内しながら保持するガイドレールと、前記前窓を前記開き位置に向かう開き方向に付勢するアシストケーブルと、前記アシストケーブルに接続され、かつ、前記ガイドレールに保持されながら当該ガイドレールに沿って移動可能な第１リンクと、前記前窓及び前記第１リンクに対してそれぞれ前記リンク側移動体の移動方向と直交する左右方向の軸回りに回動可能となるように連結される第２リンクと、を備え、当該第２リンクは、当該第２リンクの前記前窓及び前記第１リンクに対する前記回動により、前記上側被保持体を、前記第１リンクとともに前記ガイドレールに沿って移動可能となるように当該ガイドレールに保持される被保持位置と、前記前窓を前記閉じ位置に位置させるように前記ガイドレールから離脱する離脱位置との間で移動させる。
【００５９】
このキャブでは、前記前窓を前記閉じ位置と前記開き位置との間でスムーズに移動させることができる。具体的に、前記前窓の複数の窓側被保持体に含まれる上側被保持体が当該前窓を前記閉じ位置に位置させるように前記ガイドレールから離脱した離脱位置にあるときでも、第１リンクはガイドレールに保持されているので、従来のようにリンクに作用するアシストケーブルの引っ張り力に直接対抗して前窓を閉じ位置から離脱させる必要が無い。例えば、前記前窓を前記閉じ位置から手前に少し引くだけで当該前窓を（場合によってはその自重によって）前記閉じ位置から後退させる（つまり当該前窓の上側被保持体を前記離脱位置から前記被保持位置に移動させる）ことも可能である。このようにして作業者の負担が軽減される。その一方、上側被保持体が被保持位置にあって第１リンクとともにガイドレールに沿って移動する際には、第１リンクに接続されるアシストケーブルの引張り力が当該第１リンクに直接作用するため、当該引張り力が前窓の開き方向へのスムーズな移動を効率よくアシストする。
【００６０】
前記第１リンクは、リンク本体と、前記ガイドレールの案内経路に沿って並ぶ複数の位置で前記リンク本体に連結され、それぞれが前記ガイドレールに保持される複数のリンク側被保持体と、を含むことが、好ましい。当該複数のリンク側被保持体のそれぞれが前記ガイドレールに保持されることは、前記ガイドレールに対する前記第１リンクの姿勢を安定させることにより、当該ガイドレールに沿う当該第１リンクのスムーズな移動を可能にする。このことは、前記前窓の前記閉じ位置と前記開き位置との間でのスムーズな移動を可能にする。
【００６１】
前記リンク本体は、前記複数のリンク側被保持体同士の間の位置で当該リンク本体と前記被保持位置にある前記上側被保持体との干渉を阻止するように湾曲する湾曲部を含むことが、好ましい。この湾曲部は、前記被保持位置に移動する前記上側被保持体を前記複数のリンク側被保持体同士の間に受け入れることにより、前記リンク本体と前記上側被保持体との干渉を回避しながら当該上側被保持体が当該リンク側被保持体同士の間の位置で安定してガイドレールに保持されることを可能にする。
【００６２】
前記第１リンクは、前記前窓が前記閉じ位置にあるときに前記ガイドレールの上面よりも上方に突出する突出部分を含み、前記アシストケーブルは、前記突出部分に接続されるとともに前記ガイドレールの上面に沿って配索されることが、好ましい。このことは、前記ガイドレールを前記アシストケーブルの支持部材として利用することを可能にし、これにより部品点数を削減してコスト低減を図ることができる。
【００６３】
この場合、前記ガイドレールは、前記アシストケーブルの前記左右方向への移動を規制する規制部を含むことが、好ましい。当該規制部は、前記アシストケーブルがその左右方向の揺動に起因して前記ガイドレールから脱落するのを抑止する。
【００６４】
当該規制部は、例えば、前記ガイドレールの上面のうちの特定部分が他の部分よりも上向きに突出する部分であるものが、好適である。当該規制部は、簡単な構造で前記ガイドレールの左右方向の動きを有効に抑止することができる。
【００６５】
前記キャブは、第１リンクに対してアシストケーブルを左右方向の軸回りに回動可能となるように連結する連結機構をさらに備えることが好ましい。当該第１リンクに対する当該アシストケーブルの回動は、前窓が開閉方向に移動する際に前記第１リンクの姿勢の変化に起因して前記アシストケーブルの先端部に発生する曲げ応力を抑え、これによりアシストケーブルの損傷を有効に抑止する。
【００６６】
具体的に、前記連結機構は、前記アシストケーブルの先端部に接続され、前記左右方向に延びる被保持軸と、前記第１リンクにつながり、前記被保持軸をその自軸回りに回転可能に保持する保持部と、を含み、当該保持部は、前記被保持軸の回転に伴う前記第１リンクに対する前記アシストケーブルの回動を許容する挿通孔を有するものが、好適である。
【図１】
0006743890.tif 000002
【図２】
0006743890.tif 000003
【図３】
0006743890.tif 000004
【図４】
0006743890.tif 000005
【図５】
0006743890.tif 000006
【図６】
0006743890.tif 000007
【図７】
0006743890.tif 000008
【図８】
0006743890.tif 000009
【図９】
0006743890.tif 000010
【図１０】
0006743890.tif 000011
【図１１】
0006743890.tif 000012
【図１２】
0006743890.tif 000013